(57)【要約】【課題】  クリップを引き起こしてロックするまでの動作を安定且つスムーズに行なって確実にロックさせることができ、しかもクリップを安定して固定させて筆記の際の使用感を向上させると共に、保持用部材の脱落を防止した小型ボールペンを提供する。【解決手段】  クリップ３のＵ字部３ｅの外側面に中間体４の上部に形成された被係合部４ｂと係合する係合部３ｃが形成され、中間体４は、係合部３ｃと被係合部４ｂとが係合する際に生じる力によって中間体４のクリップ３側の側面がボールペン本体の内壁に当接するように形成され、それによってガタつくことなく安定した係合動作が行なわれるようにされると共に、クリップ３を元の位置に戻す際には中間体４に設けた上部側面４ｃと下部側面４ｄにより中間体４を傾斜させ、それによって係合部３ｃと被係合部４ｂとの係合が容易に解除されるように構成されている。【選択図】図５
2008055867.tif 000002
【特許請求の範囲】
【請求項１】
Ｕ字状に湾曲したＵ字部を備えると共に、端部に回転基部が設けられたクリップをボールペン本体に回転可能に取り付け、当該回転基部を中心として前記クリップを引き起こすように回転させて前記ボールペン本体の軸方向に延伸する位置に移動させることにより前記クリップのＵ字部の外側面がペン軸を保持した中間体を押し下げ、それによってペン先が繰り出された状態でロックされると共に、ロックを解除して前記クリップを元の位置に戻すと繰り出された前記ペン先が前記ボールペン本体内に引き込まれるような繰り出し機構を備えた小型ボールペンにおいて、
前記クリップのＵ字部の外側面には、前記中間体の上部頂面部に形成された被係合部と係合する係合部が形成され、
前記中間体は、前記係合部と前記被係合部とが係合する際に生じる力によって当該中間体のクリップ側の側面が前記ボールペン本体の内壁に当接するように形成され、それによってガタつくことなく安定した係合動作が行なわれるようにされると共に、前記クリップ側の側面下部及び当該クリップ側とは反対側の側面上部には傾斜部が設けられ、前記係合部と前記被係合部との係合を解除して前記クリップを元の位置に戻す際には前記中間体の前記クリップ側の側面下部及び当該中間体のクリップ側とは反対側の側面上部に設けられた傾斜部によって当該中間体を傾斜させることによって前記係合部と前記被係合部との係合が容易に解除されるように構成されたことを特徴とする小型ボールペン。
【請求項２】
請求項１に記載の小型ボールペンにおいて、
前記クリップのＵ字部の外側面に形成された前記係合部は、
前記中間体の上部頂面部に形成された前記被係合部にスムーズに乗り上げ可能な角度で形成されたテーパー部と、そして、
前記テーパー部の最大高さよりも僅かに低い高さに形成された当接部と、
を備えてなることを特徴とする小型ボールペン。
【請求項３】
請求項１又は２に記載の小型ボールペンにおいて、
前記係合部の前記テーパー部を内側に凹んだ凹面状とすることにより前記被係合部との係合の際の音をより大きく発するようにしたことを特徴とする小型ボールペン。
【請求項４】
請求項１から３のいずれか１項に記載の小型ボールペンにおいて、
前記回転基部の外側面には、前記クリップを回転させたときに前記中間体の上部頂面部に形成された前記被係合部と接触接してさらにそれを乗り越えるように形成された段部を有し、前記クリップが僅に回転したときに当該段部を一旦前記被係合部に接触させることによって当該クリップの回転が開始される前に抵抗を生じさせるようにされたことを特徴とする小型ボールペン。
【請求項５】
請求項４に記載の小型ボールペンにおいて、
前記クリップが完全に閉じた状態から前記段部が前記被係合部を乗り越える直前までの間に位置している場合に、前記クリップに加わる力を除去すると当該クリップは原位置に復帰するようにされたことを特徴とする小型ボールペン。
【請求項６】
請求項１から５のいずれか１項に記載の小型ボールペンにおいて、
前記クリップには、当該クリップが過剰に回転するのを防止するための回転止めが設けられていることを特徴とする小型ボールペン。
【請求項７】
請求項１から６のいずれか１項に記載の小型ボールペンにおいて、
前記クリップの内側面にはストラップ等の保持用部材を掛止した際に当該保持用部材が脱落するのを防止するためのストッパが設けられ、
前記ストッパは、前記クリップを閉じて前記ペン軸を収納した状態にしたときにその頂部が前記ボールペン本体の外側面よりも内側に位置するように形成されてなり、それによって前記保持用部材は前記ボールペン本体と前記クリップとの間に形成される空間部に保持される共に、前記クリップを閉じた状態において前記保持部材を前記空間部内への導入促し且つ脱落を阻止するための傾斜面が形成されたことを特徴とする小型ボールペン。
【請求項８】
請求項１から６のいずれか１項に記載の小型ボールペンにおいて、
前記ボールペン本体の外側面にはストラップ等の保持用部材を掛止した際に当該保持用部材が脱落するのを防止するためのストッパが設けられ、
前記ストッパは、前記クリップを閉じて前記ペン軸を収納した状態にしたときにその頂部が前記クリップの内側面よりも内側に位置するように形成されてなり、それによって前記保持用部材は前記ボールペン本体と前記クリップとの間に形成される空間部に保持される共に、前記クリップを閉じた状態において前記保持部材を前記空間部内への導入促し且つ脱落を阻止するための傾斜面が形成されたことを特徴とする小型ボールペン。
【発明の詳細な説明】
【技術分野】
【０００１】
本発明は、小型ボールペンに関し、特に、携帯時には短く、使用時には全長を長くすることができ、しかも、携帯電話のストラップやネックストラップ等への着脱が容易に行なうことができる小型ボールペンに関する。
【背景技術】
【０００２】
従来の小型ボールペンとしては、例えば、所定長さのキャップ内に挿入されて収納されたボールペン本体を、キャップから取り出し、キャップをボールペン本体のペン先とは反対側の端部に連結装着することにより使用に支障のない長さにすることを可能とした小型ボールペンが知られている。
【０００３】
また、ペン先の繰出機構の構造を簡単化すると共に、ペン先を突出及び引込位置で確実に固定し得るボールペンにおけるペン先繰出機構が提案されている。すなわち、軸筒の上端に冠材固着し、この冠材の中央に設けた切込にクリップの上端部後側に連設した円形板部を挿入してその下側寄りの変心位置をピンにより回動可能に固定すると共に、円形板部周縁の上下に半円状の凹入溝を設け、ボールペン芯を挿着した管状部材を軸筒内に昇降可能に挿入し、かつ管状部材の上端に嵌着した蓋体上端の円弧部を円形板部に設けた上下の凹入溝に圧入させる方向にコイルスプリングを作用させ、クリップを操作することによりボールペン芯を引込んだ位置及び突出位置で安定させるようにしたものである（登録実用新案第３０８０６０８号公報（特許文献１））。
【０００４】
しかし、上述した従来の小型ボールペンは、使用するたびごとにキャップからボールペン本体を取り外さなければならず面倒であり、しかもボールペン本体とキャップが分離する構造であるため使用時や携帯時にキャップ又はボールペン本体を紛失してしまうおそれがある。
また、上述した従来のボールペンのペン先繰出機構にあっては、クリップを引き起こして使用状態にすると全長が軸筒の長さにクリップの長さを加えた長さとなるので全体が長すぎて使い勝手が悪くなるという問題点があった。
【０００５】
そのため、本願発明者は、小型で携帯が容易でありながら使用状態において使用しやすい長さとなって容易に筆記を行なうことが可能となる小型ボールペンを提案した（特開２００５−３５１７４号公報（特許文献２））。すなわち、ボールペンの本体の端部側に回転中心を有するクリップを設け、このクリップを引き起こして本体の軸方向に延伸するようにして位置させたときにペン先が繰り出されてロックされると共に、ペン先のロックを解除してクリップを元の位置に戻すと繰り出されたペン先が本体内に引き込まれてその状態でロックされるように形成されたペン先の繰り出し機構を備えており、クリップを引き起こすことによってペン先を繰り出してロックしたときにちょうど持ちやすい長さとなるようにしたものである。
【０００６】
【特許文献１】実用新案登録第３０８０６０８号公報
【特許文献２】特開２００５−３５１７４号公報
【発明の開示】
【発明が解決しようとする課題】
【０００７】
特許文献２に示された小型ボールペンは、これまでの不都合を解消し、当初の目的を十分に達成し得るものであった。しかしながら、クリップを引き起こしてロックする際に、使用者によってはクリップを最後まで引き起こす動作が確実に行なわれないことに起因してクリップが固定されないと指摘されることがあった。
また、クリップを引き起こして非使用状態から使用状態にする際のクリップのロックは比較的強い力を要し、使用状態から非使用状態にする際のクリップのロックが比較的弱い力で解除される傾向があった。
さらに、非使用状態におけるクリップがその状態でしっかり保持されずガタついて安定しないという問題があった。
さらに、クリップに取り付けたストラップが外れやすいという傾向もあった。
【０００８】
そこで、本発明は、小型で携帯が容易でありながら使用状態において使用しやすい長さとなって容易に筆記を行なうことが可能な従来の小型ボールペンをさらに改良し、クリップを引き起こしてロックするまでの動作を安定且つスムーズに行なうことを可能とし、そして、クリップを確実にロックさせることが可能な小型ボールペンを提供することを目的とする。
また、本発明は、使用状態及び非使用状態においてクリップがふらつくことなく安定して固定され、それによって筆記の際にも使用感のよい小型ボールペンを提供することを目的とする。
さらに、本発明は、携帯電話のストラップ等の保持部材にクリップを引っ掛けて持ち歩く際にも脱落することなく確実に掛止されることが可能な小型ボールペンを提供することを目的とする。
【課題を解決するための手段】
【０００９】
上記課題を解決するために請求項１記載の発明は、Ｕ字状に湾曲したＵ字部を備えると共に、端部に回転基部が設けられたクリップをボールペン本体に回転可能に取り付け、回転基部を中心としてクリップを引き起こすように回転させてボールペン本体の軸方向に延伸する位置に移動させることによりクリップのＵ字部の外側面がペン軸を保持した中間体を押し下げ、それによってペン先が繰り出された状態でロックされると共に、ロックを解除してクリップを元の位置に戻すと繰り出されたペン先がボールペン本体内に引き込まれるような繰り出し機構を備えた小型ボールペンにおいて、クリップのＵ字部の外側面には、中間体の上部頂面部に形成された被係合部と係合する係合部が形成され、中間体は、係合部と被係合部とが係合する際に生じる力によって中間体のクリップ側の側面がボールペン本体の内壁に当接するように形成され、それによってガタつくことなく安定した係合動作が行なわれるようにされると共に、クリップ側の側面下部及び当該クリップ側とは反対側の側面上部には傾斜部が設けられ、係合部と被係合部との係合を解除してクリップを元の位置に戻す際には中間体のクリップ側の側面下部及び中間体のクリップ側とは反対側の側面上部に設けられた傾斜部によって中間体を傾斜させることによって係合部と被係合部との係合が容易に解除されるように構成されたことを特徴とする。
【００１０】
上記課題を解決するために請求項２記載の発明は、請求項１に記載の小型ボールペンにおいて、クリップのＵ字部の外側面に形成された係合部は、中間体の上部頂面部に形成された被係合部にスムーズに乗り上げ可能な角度で形成されたテーパー部と、そして、テーパー部の最大高さよりも僅かに低い高さに形成された当接部とを備えてなることを特徴とする。
【００１１】
上記課題を解決するために請求項３記載の発明は、請求項１又は２に記載の小型ボールペンにおいて、係合部のテーパー部を内側に凹んだ凹面状とすることにより被係合部との係合の際の音をより大きく発するようにしたことを特徴とする。
【００１２】
上記課題を解決するために請求項４記載の発明は、請求項１から３のいずれか１項に記載の小型ボールペンにおいて、回転基部の外側面には、クリップを回転させたときに中間体の上部頂面部に形成された被係合部と接触接してさらにそれを乗り越えるように形成された段部を有し、クリップが僅に回転したときに段部を一旦被係合部に接触させることによってクリップの回転が開始される前に抵抗を生じさせるようにされたことを特徴とする。
【００１３】
上記課題を解決するために請求項５記載の発明は、請求項４に記載の小型ボールペンにおいて、クリップが完全に閉じた状態から段部が被係合部を乗り越える直前までの間に位置している場合に、クリップに加わる力を除去するとクリップは原位置に復帰するようにされたことを特徴とする。
【００１４】
上記課題を解決するために請求項６記載の発明は、請求項１から５のいずれか１項に記載の小型ボールペンにおいて、クリップには、クリップが過剰に回転するのを防止するための回転止めが設けられていることを特徴とする。
【００１５】
上記課題を解決するために請求項７記載の発明は、請求項１から６のいずれか１項に記載の小型ボールペンにおいて、クリップの内側面にはストラップ等の保持用部材を掛止した際に保持用部材が脱落するのを防止するためのストッパが設けられ、ストッパは、クリップを閉じてペン軸を収納した状態にしたときにその頂部がボールペン本体の外側面よりも内側にするように形成されてなり、それによって保持用部材はボールペン本体とクリップとの間に形成される空間部に保持される共に、クリップを閉じた状態において保持部材を空間部内への導入促し且つ脱落を阻止するための傾斜面が形成されたことを特徴とする。
【００１６】
上記課題を解決するために請求項８記載の発明は、請求項１から６のいずれか１項に記載の小型ボールペンにおいて、ボールペン本体の外側面にはストラップ等の保持用部材を掛止した際に保持用部材が脱落するのを防止するためのストッパが設けられ、ストッパは、クリップを閉じてペン軸を収納した状態にしたときにその頂部がクリップの内側面よりも内側に位置するように形成されてなり、それによって保持用部材はボールペン本体とクリップとの間に形成される空間部に保持される共に、クリップを閉じた状態において保持部材を空間部内への導入促し且つ脱落を阻止するための傾斜面が形成されたことを特徴とする。
【発明の効果】
【００１７】
本発明に係る小型ボールペンによれば、クリップのＵ字部の外側面に形成した係合部が、中間体の上部頂面部に形成した被係合部と係合するように形成され、中間体には、クリップを引き起こして係合部と被係合部とが係合する際に生じる力によって中間体のクリップ側の側面がボールペン本体の内壁に当接するように形成され、それによってガタつくことなく安定した係合動作が行なわれるようにようにしたのでクリップを引き起こしてロックするまでの動作を安定且つスムーズに行なうことができると共に、クリップをロックさせるときの安定感を使用者に与えることができるという効果がある。
【００１８】
また、係合部と被係合部との係合を解除してクリップを元の位置に戻す際には中間体のクリップ側の側面下部及び中間体のクリップ側とは反対側の側面上部に設けられた傾斜部によって中間体を傾斜させることによって係合部と被係合部との係合が強くても容易に解除されるようにしたのでスムーズにクリップを動かすことができるという効果がある。
【００１９】
さらに、中間体の上部頂面部の被係合部をスムーズに乗り上げ可能な角度で形成されたテーパー部と、テーパー部の最大高さよりも僅かに低い高さに形成された当接部とを備えて構成したので、クリップを引き起こしてロックする際にそれほど抵抗なくクリップを最後まで引き起こしてロックすすることができると共に、ロックの解除に際してはテーパー部の最大高さ部分が斜めになった状態の中間体の頂面部と接触するので係合部と被係合部との係合が強力であってもスムーズに解除動作を行なうことができるという効果がある。
【００２０】
また、係合部のテーパー部を内側に凹んだ凹面状とすることにより被係合部との係合の際の音をより大きく発するようにしたので係合動作と一体になった違和感のない音を使用者に与えることができ、また係合音による遊び心をも提供できるという効果がある。
【００２１】
また、回転基部の外側面に段部を形成し、クリップが完全に閉じられた状態から僅に開いたところで一旦段部を被係合部に接触させ、さらに被係合部を乗り越えるようにしてクリップの回転が進行する前に一旦抵抗を生じさせるようにしたので意図しない力によってクリップが不用意に回転してしまうことが防止されるという効果がある。
【００２２】
また、クリップが完全に閉じた状態から段部が被係合部を乗り越える直前までの間に位置している場合に、クリップに加わる力を除去するとクリップは原位置に復帰するようにしたので、クリップが僅かに開いて係合段部と被係合部との接触による抵抗を受ける状態となるまでの間に生じるクリップとボールペン本体との間の隙間からストラップ等の保持用部材を容易に挿入することができ、しかもクリップに加わる力を除去すればクリップは閉じた状態に復帰するのでストラップ等の保持用部材が簡単に脱落することがないという効果がある。
【００２３】
さらに、本発明によれば、クリップが過剰に回転するのを防止するための回転止めを設けたので使用状態においてクリップがふらつくことなく安定して保持され、筆記の際の使用感のよい小型ボールペンを提供することができるという効果がある。
【００２４】
また、本発明によれば、ストッパは、クリップの内側面又はボールペン本体の外側面に設けると共に、ストッパの頂部がボールペン本体の外側面又は、クリップの内側面よりも内側に位置するようにしたので携帯電話のストラップ等の保持部材にクリップを引っ掛けて持ち歩く際にも脱落することなく確実に掛止することができるという効果がある。さらに、ストッパは、クリップを閉じた状態において保持部材を空間部内への導入を促し且つ脱落を阻止するための傾斜面を形成したのでクリップの原位置（閉じた状態）への復帰機能と相俟ってストラップ等の保持部材の挿着を容易且つ確実に行なうことができるという効果がある。
【発明を実施するための最良の形態】
【００２５】
本発明に係る小型ボールペンについて図示された一実施形態に基づいて、更に詳しく説明する。
図１は本発明に係る小型ボールペンの一実施形態を示す斜視図、図２はペン先を繰り出した状態の斜視図、図３はその分解斜視図である。また、図４は図１の小型ボールペンの断面図、図５はペン先を繰り出した状態の断面図である。図示された小型ボールペン１０は、概略として、本体１と、ペン軸２と、クリップ３と、中間体４と、弾性体５と、そして、ピン６と、を有して構成されている。
【００２６】
初めに、本体１について説明する。本体１は、その内部に中空１ｄを備えた筒状体で、その一端にはペン軸２のペン先２ａが出入りする出入孔１ａが形成されている。本体１の中空部１ｄにはペン軸２、中間体４及び弾性体５が内装されるようになっていいる。一方、本体１の他端側には後述するクリップ３の回転基部３ａを取り付けるための中心孔１ｃが穿設されている。この中心孔１ｃは、クリップ３を回転させる際の回転中心となる。本体１は、合成樹脂により形成されているが、もちろんこれに限定されるものではなく、アルミニウム合金やマグネシウム合金等の金属の他、木材等、種々の材料によって形成することが可能である。
【００２７】
次に、ペン軸２について説明する。ペン軸２は、一般に用いられているボールペンの軸と同じ機能及び構成を有しており、図３に最も良く示されているように、インクが充填された略円筒形状のペン軸２の先端に設けられたペン先２ａからインクを送り出して筆記を行うものである。そして、ペン先２ａとは反対側の開放端部２ｃ近傍にはペン軸２の直径よりも外側に突出した耳部２ｂが形成されており、開放端部２ｃ側を後述する中間体４に形成された挿入穴４ａに挿入した際、耳部２ｂが中間体４の表面に当接してそれ以上の挿入が阻止されるようになっている。そして、ペン軸２は、コイルバネである弾性体５の内部に挿入された状態で本体１内に組み立て配置される。
【００２８】
次に、弾性体５は、螺旋形状のコイルバネであり、その内部にペン軸２が挿入可能な大きさの直径を有して形成されている。いうまでもなく弾性体５の直径は出入孔１ａの直径よりも大きいので出入孔１ａから飛び出すことなく係止される。一方、それとは反対側の弾性体５の端面はペン軸２の耳部２ｂに当接して配置されており、それにより弾性体５は中間体４の上下運動によって押圧されて伸縮運動をするようになっている。
【００２９】
次に、中間体４は、図６に示すように、略直方体形状をした部材で、本体１内にペン軸２と後述するクリップ３の回転基部３ａの間に位置して配置される。中間体４の底部にはペン軸２の開放端部２ｃが挿入される挿入穴４ａが形成され、頂面にはクリップ３に設けられた段部３ｂ及びＵ字部３ｅに設けられた係合部３ｃがそれぞれ係合する被係合部４ｂが形成されている。挿入穴４ａは、ペン軸２の開放端部２ｃの径よりも僅かに大きく、耳部２ｂの幅よりも狭く形成されている。中間体４は、合成樹脂により形成されているが、金属や木材等の種々の材料で形成することができることは本体１の場合と同様である。そして、中間体４は、係合部３ｃと被係合部４ｂとが係合する際には中間体４のクリップ３側の側面がボールペン本体１の内壁に当接するようにして配置される。これにより、クリップ３を引き起こしてロックする際にガタつくことなく安定した係合動作が行なわれることとなる。
【００３０】
また、中間体４は、被係合部４ｂが形成されている側の上部側面４ｃと、それとは反対側の下部側面４ｄがそれぞれ所定の角度で内側に傾斜した傾斜面とされている。これにより、図７に示すように、クリップ３を引き起こした（開いた）筆記状態（図７（ａ））からペン軸２を収納してクリップ３を通常状態（閉じた）状態に戻す場合（図７（ｂ））に、クリップ３を閉じる方向に回転させる際の初動時に生じる力によって中間体４を傾斜させるのでクリップ３の係合部３ｃと被係合部４ｂとの係合が強力であってもそれを解除する際の力を軽減することができる。これにより、使用者はクリップ３を使用状態にした時に確かなロック感を感じると共にその解除も容易に行うことができるようになる。
【００３１】
次に、クリップ３は、概略として、回転基部３ａと、クリップ部３ｄと、それらをＵ字状に繋ぐＵ字部３ｅを備えて形成されており、クリップ３の回転に伴って中間体４を上下移動させるようにして本体１に配置されている。
Ｕ字部３ｅは、クリップ部３ｄと回転基部３ａとを繋ぐＵ字状に大きく湾曲した部分である。このＵ字部３ｅには、その外側面に係合部３ｃが設けられており、クリップ３を回転させて本体１の軸方向に沿って延伸する位置（クリップ３を開いた状態）に移動させた際に中間体４の被係合部４ｂと係合するようになっている。係合部３ｃは、図９に示すように、被係合部４ｂと係合する際に被係合部４ｂにスムーズに乗り上げることができるように比較的緩やかな角度で形成されたテーパー部３１と、テーパー部３１の最大高さよりも僅かに低い高さに形成された当接部３２とを備えて形成されている。これにより、係合開始に際しては被係合部４ｂは比較的緩やかな角度のテーパー部３１によってスムーズに摺動し、そして、係合完了時には当接部３２がテーパー部３１の最大高さよりも僅かに低く形成されていると共に、中間体４は弾性体５の弾性力によって上方側に付勢されているのでクリップ３がカチッと嵌まり込むこととなり使用者に心地よい使用感を与える。このとき、テーパー部３１を図９（ａ）に示すようななだらかな円弧状のものから図９（ｂ）に示すような少し凹んだ凹面状にすると当接部３２が被係合部４ｂと係合するときに発する音がより大きくなる。これにより係合動作と一体になった違和感のない音を使用者に与えることができ、また、カチカチといった係合音による遊び感覚も提供できる。
また、被係合部４ｂとの係合を解除する際には、テーパー部３１の最大高さ部分が斜めになった状態の中間体４の頂面部と接触するようになっているので係合部３ｃと被係合部４ｂとの係合が強力であってもスムーズに解除動作を行なうことができる。尚、テーパー部３１の最大高さは上部側面４ｃ及び下部側面４ｄの角度との関係によって適宜決定される。
【００３２】
回転基部３ａは、本体１の中心孔１ｃにピン６によって回転可能に取り付けるための孔３ｇが穿設されており、クリップ３がピン６を回転中心として回転するようになっている。
また、回転基部３ａには係合部３ｃとほぼ対向する側の外側面に位置して段部３ｂが形成されており、クリップ３を僅かに回転させたときに中間体４の上部頂面部に形成された被係合部４ｂと接触してさらにそれを乗り越えるようにしてクリップ３の回転が行なわれるようになっている。このようにクリップ３が僅に回転したときに段部３ｂを一旦被係合部４ｂに接触させることによってクリップ３の回転が開始される前に抵抗を生じさせることで意図しない力によってクリップ３が不用意に回転してしまうことが防止される。尚、段部３ｂの形状は少し角度を付けて形成してもよく、或いは角度を付けない曲面状とすることもできる。角度をつけると段部３ｃが被係合部４ｂを乗り越えるときの感触を明確に使用者に感じさせてメリハリのある使用感を与えることができ、角度をつけない場合には使用者にスムーズな回転を感じさせることができる。
また、クリップ３が僅かに開いて段部３ｂの斜面の途中に被係合部４ｂが位置するような状態となっているときには、中間体４が弾性体５の弾性力によって上方側に付勢されているのでその力によりクリップ部３ｄをもとの状態（クリップが閉じた状態）に引き戻すような力が働く。そのため、クリップ３が僅かに回転してしまった場合でもその力が除去されればクリップ３は閉じた状態に復帰する。もちろん、使用者が使用状態にするために意図的にクリップ部３ｄを回転させる方向に力を加えた場合には段部３ｂが被係合部４ｂを乗り越えてクリップ３は回転するように構成さている。
【００３３】
クリップ部３ｄは、ポケットやノート等を挟持する公知の機能を発揮する部分である。そして、クリップ部３ｄの内側面にはストラップ等の保持用部材９を掛止した際に保持用部材９が脱落するのを防止するためのストッパ３ｈが設けられている。保持用部材９は、ストッパ３ｈの頂部が本体１の内側に入り込み、Ｕ字部３ｅの内側に設けられた空間部３ｆを閉塞することによって形成される空間内に掛止されるようになっている。この空間部３ｆは、回転基部３ａの回転中心近傍に位置すると共に、クリップ３を閉じた状態で本体１の長さ方向における中心軸線上に至る位置まで形成されているので、たとえ保持用部材９が引っ張られたとしてもクリップ３ｄは容易に回転することはなく、しかも保持用部材９はＵ字部３ｅの湾曲した内側面によって図４に示されているような本体１の長さ方向における中心軸線上の位置まで移動させられることになり容易に脱落することがない。
【００３４】
ストッパ３ｈは、クリップ部３ｄの内壁面から山状に突出するようにして形成されており、ペン軸２を収納した状態（クリップ３を閉じた状態）においてストッパ３ｈの頂部が本体１の外側面よりも内側に位置するようになっている。これにより、クリップ３が閉じた状態となったときにストラップ等の保持用部材９が空間部３ｆから脱落するのを防止する。尚、クリップ３が開いた場合でも段部３ｂが被係合部４ｂを乗り越えるまではストッパ３ｈの頂部は本体１の外側面よりも内側に位置するような高さとされている。
また、ストッパ３ｈは、ストラップ等の保持部材を空間部３ｆへ導入しやすくするために導入方向に向かってなだらかな傾斜面が形成されている。これに対して、それとは反対側はストラップ等の保持部材が容易に脱落することを阻止するためにクリップ部３ｄの内面に対して略直角とされている。
【００３５】
一方、ストッパ３ｈを本体１側に設け、ペン軸２を収納した状態（クリップ３を閉じた状態）においてストッパ３ｈの頂部がクリップ部３ｄの内側面よりも内側に位置するように形成することもできる。尚、ストッパ３ｈに関するその他の構成及び作用については上述と同様なのでその説明は省略する。
【００３６】
クリップ３には、さらにクリップ３を回転させて本体１の軸方向に沿って延伸する位置に移動させ、被係合部４ｂと係合部３ｃとの係合が行われた状態においてそれよりもクリップ３が過剰に回転するのを防止するための回転止め３ｋが設けられている。図１０に示すように、クリップ３のＵ字部３ｅの縁部に段差が形成されており、その段差部分が回転止め３ｋとされている。これにより、クリップ３を回転させて本体１の軸方向に沿って延伸する位置に移動させ、被係合部４ｂと係合部３ｃとの係合が行われた状態において回転止め３ｋが本体１の表面に当接しクリップ３がそれ以上回転しないようになっている。これにより使用状態におけるクリップ３は安定して保持されることとなる。
【００３７】
上述したクリップ３は、本体１及び中間体４と同様に、合成樹脂より形成されているが、金属や木材等の種々の材料により形成することも可能である。尚、クリップ３は中間体４上を摺動しながら回転するので中間体４とクリップ３の材料は互いに摩擦の少ない滑りやすい材料で形成するとよい。
【００３８】
次に、上述した小型ボールペン１０の動作について説明する。
まず、ペン軸２が収納された状態（クリップ３を閉じた状態）では、図１及び図４に示すように、弾性体５の弾性力により中間体４が上方に押し上げられた状態となっており、これによりペン先２ａは本体１内に引き込まれた状態となっている。通常、この状態で小型ボールペン１０の持ち運びが行われる。
【００３９】
小型ボールペン１０を使用するには、まずクリップ３のクリップ部３ｄを本体１から離れる方向に回転させる（クリップ３を開く）。クリップ３が回転するのに伴って回転基部３ａ及びＵ字部３ｅの外側面が中間体４の頂面上を摺動しながら徐々に中間体４を下方側に押し下げていく。これは、回転中心から段部３ｂまでの長さよりも、回転中心から係合部３ｃまでの長さの方が長く形成されているからである。そのとき、クリップ３を僅かに回転させたところで段部３ｃが中間体４の上部頂面部に形成された被係合部４ｂと一旦接触し、さらにそれを乗り越えるようにしてクリップ３が回転する。尚、段部３ｂが被係合部４ｂを乗り越える前に回転のための力を除去するとクリップ３は閉じた状態に復帰する。
【００４０】
クリップ３をさらに回転させると、係合部３ｃが被係合部４ｂに接する位置に達する。そして、被係合部４ｂは係合部３ｃのテーパー部３１にスムーズに乗り上げる。そして、被係合部４ｂはテーパー部３１の最大高さを越えてそれよりも僅かに低い高さに形成された当接部３２に至り、カチッと嵌まり込んで係合が完了する。この係合が行われるときには、中間体４のクリップ３側の側面がボールペンの本体１の内壁に当接するので係合位置が安定し、ガタつくことなく係合が行なわれ使用者に心地よい使用感を与える。そして、これによってペン軸２はペン先２ａが出入孔１ａから繰り出された状態で固定される。この状態ではクリップ部３ｄが半回転して本体１の軸線上に位置することとなるので小型ボールペン１０の全長が長くなった状態となり、通常の長さを備えたボールペンと同じように使用することが可能となる。この結果、小型ボールペン１０は使用しないときにはよりコンパクトに、そして使用する時には使いやすい長さとすることができる。具体的には、例えば、使用しないときには全長を約７ｃｍ程度の長さとし、使用時には全長を約１０ｃｍ程度とすることができる。
【００４１】
使用可能状態（図２、図５参照）から収納状態（図１、図４参照）にするには上述の操作と逆の操作を実行すればよい。すなわち、クリップ３を閉じる方向に回転させる。このとき、クリップ３を回転させる際の初動時に生じる力によって係合部３ｃが被係合部４ｂを押圧して中間体４を傾斜させ、係合部３ｃと被係合部４ｂとの係合を解除する。そして、そのとき、係合部３ｃのテーパー部３１の最大高さ部分が、斜めになった状態の中間体４の頂面部と接触するようになっているので係合部３ｃと被係合部４ｂとの係合が強力であってもスムーズな解除動作が行なわれる。係合が解除されると弾性体５の力によって中間体４が再び上方に押し上げられクリップ３は閉じて原位置に復帰し、ペン先２ａは本体１内に引き込まれる。
【００４２】
一方、図４に示したように、小型ボールペン１０にはストラップ等の保持用部材９を吊り下げることができるようになっている。ストッパ３ｈは。ストラップ等の保持部材９の導入方向に向かってなだらかな傾斜面とされているのでクリップ部３ｄと本体１との間から保持用部材９を導入すればその傾斜面によって案内されて簡単に取り付けることができる。このときクリップ３は段部３ｃが被係合部４ｂに接触する位置までは僅かの力で開くようになっているのでの保持部材９を簡単に空間部３ｆへ導入することができ、そして、その力を除去すればクリップ３は自然に原位置に戻る。
空間部３ｆに導入された保持用部材９は、ストッパ３ｈの傾斜面側とは反対側の形状はクリップ部３ｄの内面に対して略直角とされているので抜け落ちることなく保持用部材９の脱落が阻止される。尚、保持用部材９は、上述のように空間部３ｆ部分に位置して掛止されることになるが、空間部３ｆは回転基部３ａの回転中心近傍に位置しているので、たとえ保持用部材９が引っ張られたとしてもクリップ３ｄがその力によって容易に回転することがなく、従って保持用部材９の脱落することもない。
【図面の簡単な説明】
【００４３】
【図１】本発明に係る小型ボールペンの一実施形態の斜視図である。
【図２】図１の小型ボールペンのペン先を繰り出した状態の斜視図である。
【図３】図１の小型ボールペンの分解斜視図である。
【図４】図１の小型ボールペンの断面図である。
【図５】図１の小型ボールペンのペン先を繰り出した状態の断面図である。
【図６】中間体の一実施形態の斜視図である。
【図７】（ａ）は被係合部と係合部との係合状態における中間体を示す図、（ｂ）は係合解除の際の中間体の動作を示す図である。
【図８】係合部と段部との係合状態を示す図である。
【図９】（ａ）は係合部の拡大図、（ｃ）は凹面状とされた係合部の拡大図である。
【図１０】回転止めを示す小型ボールペンの正面図である。
【符号の説明】
【００４４】
１      本体
１ａ      出入孔
１ｃ      中心孔
１ｄ      中空部
２      ペン軸
２ａ      ペン先
２ｂ      耳部
２ｃ      開放端部
３      クリップ
３ａ      回転基部
３ｂ      段部
３ｃ      係合部
３ｄ      クリップ部
３ｅ      Ｕ字部
３ｆ      隙間部
３ｇ      孔
３ｈ      ストッパ
３ｋ      回転止め
４      中間体
４ａ      挿入穴
４ｂ      被係合部
４ｃ      上部側面
４ｄ      下部側面
５      弾性体
６      ピン
９      保持用部材
１０      小型ボールペン
３１      テーパー部
３２      当接部
【図１】
2008055867.tif 000003
【図２】
2008055867.tif 000004
【図３】
2008055867.tif 000005
【図４】
2008055867.tif 000006
【図５】
2008055867.tif 000007
【図６】
2008055867.tif 000008
【図７】
2008055867.tif 000009
【図８】
2008055867.tif 000010
【図９】
2008055867.tif 000011
【図１０】
2008055867.tif 000012